(57)【要約】【課題】マルチメディアオペレーティングシステムを安全に保護できるコンピュータマルチメディア機能の作動方法を提供すること。【解決手段】コンピュータマルチメディア機能の作動方法が実施されて、マルチメディアオペレーティングシステムをロードする。この方法は、マルチメディアオンスイッチモード信号が受信されると、ホスト保護エリアをアクセス状態に設定すること、ホスト保護エリアに格納されたオンスイッチローディングプログラムをメモリにロードすること、及びオンスイッチローディングプログラムを実行してマルチメディアオペレーティングシステムとその対応するアプリケーションプログラムをロードしてマルチメディアデータを放送することを含む。【選択図】図１Ｂ
2007108866.tif 000002
【特許請求の範囲】
【請求項１】
ハードディスクパーティションとホスト保護エリアを含むコンピュータ実行可能プラットフォーム上で実行される、コンピュータマルチメディア機能の作動方法であって、ハードディスクパーティションは、通常のオペレーティングシステムを格納し且つホスト保護エリアは、マルチメディアオペレーティングシステムカーネルを格納し、前記方法は、
パワーオンスイッチ信号を受信し、ベーシック入出力システム（ＢＩＯＳ）をメモリにロードし、且つパワー自己テストシーケンスを実行するステップと、
マルチメディアオンスイッチモード信号を検出するステップと、を備え、
このマルチメディアオンスイッチモード信号が検出されると、前記ＢＩＯＳが、
前記ホスト保護エリアをアクセス状態に設定するステップと、
オンスイッチローディングプログラムを読み出すステップと、
前記マルチメディアオペレーティングシステムカーネルをロードするステップと、
を実行する、
コンピュータマルチメディア機能の作動方法。
【請求項２】
前記マルチメディアオペレーティングシステムカーネルをロードした後に、アプリケーションプログラムをロードするステップを更に備える、請求項１に記載のコンピュータマルチメディア機能の作動方法。
【請求項３】
マルチメディアオンスイッチモード信号が検出されない場合、前記ＢＩＯＳは、ホスト保護エリアを保護状態に設定し且つ前記通常のオペレーティングシステムをロードする、請求項１に記載のコンピュータマルチメディア機能の作動方法。
【請求項４】
前記マルチメディアオンスイッチモード信号は、割込み信号である、請求項１に記載のコンピュータマルチメディア機能の作動方法。
【請求項５】
前記マルチメディアオペレーティングシステムカーネルは、マルチメディアデバイスのドライバプログラムを含む、請求項１に記載のコンピュータマルチメディア機能の作動方法。
【請求項６】
前記マルチメディアデバイスは、光ディスクドライブ、サウンド効果デバイス、又はビデオデバイスである、請求項５に記載のコンピュータマルチメディア機能の作動方法。
【請求項７】
前記アプリケーションプログラムは、サウンドデータ、画像データ、及びピクチャーデータを放送できる、請求項１に記載のコンピュータマルチメディア機能の作動方法。
【請求項８】
前記マルチメディアオンスイッチモード信号は、入力デバイスのショートカットキー又は組合せキーから受信される、請求項１に記載のコンピュータマルチメディア機能の作動方法。
【請求項９】
コンピュータマルチメディア機能の作動方法であって、ホスト保護エリアがオンスイッチローディングプログラム及びマルチメディアオペレーティングシステムカーネルを格納し、前記方法は、
マルチメディアオンスイッチモード信号を受信するステップと、
前記マルチメディアオンスイッチモード信号に従って、前記ホスト保護エリアをアクセス状態に設定するステップと、
前記ホスト保護エリア内に格納されたオンスイッチローディングプログラムをメモリに読み出すステップと、
前記ホスト保護エリアに格納された前記オンスイッチローディングプログラムによってマルチメディアオペレーティングシステムカーネルをローディングするステップと、を備えるコンピュータマルチメディア機能の作動方法。
【請求項１０】
前記ホスト保護エリアは、更に、アプリケーションプログラムを格納する、請求項９に記載のコンピュータマルチメディア機能の作動方法。
【請求項１１】
前記ホスト保護エリアに格納されたアプリケーションプログラムをローディングするステップを更に備える、請求項９に記載のコンピュータマルチメディア機能の作動方法。
【請求項１２】
前記マルチメディアオンスイッチモード信号は、割込み信号である、請求項９に記載のコンピュータマルチメディア機能の作動方法。
【請求項１３】
前記マルチメディアオペレーティングシステムカーネルは、マルチメディアデバイスのドライバプログラムを含む、請求項９に記載のコンピュータマルチメディア機能の作動方法。
【請求項１４】
前記マルチメディアデバイスは、光ディスクドライブ、サウンド効果デバイス、又はビデオデバイスである、請求項１３に記載のコンピュータマルチメディア機能の作動方法。
【請求項１５】
前記アプリケーションプログラムは、サウンドデータ、画像データ、及びピクチャーデータを放送できる、請求項９に記載のコンピュータマルチメディア機能の作動方法。
【請求項１６】
前記マルチメディアオンスイッチモード信号は、入力デバイスのショートカットキー又は組合せキーから受信される、請求項９に記載のコンピュータマルチメディア機能の作動方法。
【請求項１７】
コンピュータマルチメディア機能の作動方法であって、ホスト保護エリアがオンスイッチローディングプログラム及び複数のマルチメディアオペレーティングシステムカーネルを格納し、それによって、指定のマルチメディアオペレーティングシステムカーネルが異なるオンスイッチモード信号に従ってロードされ、前記方法が、
マルチメディアオンスイッチモード信号を受信するステップであって、前記マルチメディアオンスイッチモード信号が対応するマルチメディアオペレーティングシステムカーネルを決定するステップと、
前記マルチメディアオンスイッチモード信号に従って、前記ホスト保護エリアをアクセス状態に設定するステップと、
前記ホスト保護エリア内に格納されたオンスイッチローディングプログラムをメモリに読み出すステップと、
前記オンスイッチローディングプログラムを作動してマルチメディアオペレーティングシステムカーネルをロード及び実行するステップと、を備えるコンピュータマルチメディア機能の作動方法。
【請求項１８】
前記マルチメディアオンスイッチモード信号は、割込み信号である、請求項１７に記載のコンピュータマルチメディア機能の作動方法。
【請求項１９】
前記マルチメディアオペレーティングシステムカーネルは、マルチメディアデバイスのドライバプログラムを含む、請求項１７に記載のコンピュータマルチメディア機能の作動方法。
【請求項２０】
前記マルチメディアデバイスは、光ディスクドライブ、サウンド効果デバイス、又はビデオデバイスである、請求項１９に記載のコンピュータマルチメディア機能の作動方法。
【請求項２１】
前記マルチメディアオペレーティングシステムカーネルは、対応するアプリケーションプログラムを含む、請求項１７に記載のコンピュータマルチメディア機能の作動方法。
【請求項２２】
前記マルチメディアオンスイッチモード信号は、入力デバイスのショートカットキー又は組合せキーから受信される、請求項１７に記載のコンピュータマルチメディア機能の作動方法。
【請求項２３】
前記ホスト保護エリアに格納されたアプリケーションプログラムをロードするステップを更に備える、請求項１７に記載のコンピュータマルチメディア機能の作動方法。
【発明の詳細な説明】
【技術分野】
【０００１】
本発明は、コンピュータマルチメディア機能の作動方法に関し、特に、コンピュータマルチメディア機能を達成するためにホスト保護エリアに格納されたオンスイッチングローディングプログラムとマルチメディアオペレーティングシステムの実施に関する。
【背景技術】
【０００２】
初期の段階では、コンピュータは、通常、複雑且つ繰り返し計算タスクを実行するために使用されていた。しかしながら、技術の進歩に従って、今日では、そのコンピュータは、マルチメディアを作動し、サウンドカード、光ディスクドライブ、スピーカ、及びマイクロフォン等の多くのコンポーネントを統合している。更に、オペレーティングシステム及びマルチメディア技術の進歩によって、コンピュータが放送音楽（例えば、放送ＷＡＶ、ＭＩＤＩ、ＭＰ３や類似のサウンドフォーマット、或いはオーディオ光ディスクからの音楽の直接演奏）及び映画（例えば、放送ＭＰＥＧ、ＡＶＩ、ＡＳＦ、ＲＭ又は同様の映画フォーマット、或いはオーディオ−ビデオ光ディスクからの映画の直接の上映）のようなオーディオ−ビデオエンターテインメントを実行することが可能となっている。
【０００３】
従来の家庭用のマルチメディア機器（テレビ、ラジオ、及びＤＶＤプレーヤ等）は、通常、その機器がスイッチオンされると直ちに、演奏する準備がなされ、長いオンスイッチ時間を待つ必要がない。しかしながら、コンピュータがマルチメディアデータ（ピクチャー、音楽、映画等）を放送するために使用されるべき場合には、アプリケーションプログラムが、マルチメディアデータを放送するために効果的に実行され得る前に、コンピュータを操作するために必要な（“Ｗｉｎｄｏｗｓ（登録商標）”、“ＬＩＮＵＸ（登録商標）”等のオペレーティングシステムのような）通常のオペレーティングをシステムロードするために、コンピュータオンスイッチシーケンスが実行されなければならない。コンピュータ（ＣＰＵクロック、メモリ容量、データバス送信速度等）のグレードによって、コンピュータオンスイッチ時間が著しく変化する。しかしながら、通常、少なくとも１乃至２分間の平均待ち時間が必要である。
【０００４】
マルチメディアコンピュータは、オーディオ−ビデオエンターテインメント機能性を提供できるが、マルチメディア放送機能は、まだ、通常のオペレーティングシステムに組み込まれている。実際に、コンピュータがそのマルチメディア機能のためのみに使用される場合、オペレーティングシステムカーネルは、コンピュータマルチメディアデバイスを操作するのに十分であり、全体のオペレーティングシステムは必要なく、それによって、コンピュータオンスイッチ待機時間が減少でき、従来の家庭用のマルチメディア機器と同じように便利にそれを使用できる。
【０００５】
図１Ａに示されるように、コンピュータオンスイッチ時間を減少し、元のオペレーティングシステムが正常に働くことを保障するために、従来のアプローチは、異なるハードディスクパーティションに二つのオペレーティングシステムを設置する。通常のオペレーティングシステム１４は、第１のハードディスクパーティション１２に格納されて従来のコンピュータオペレーションを支援すると共に、マルチメディアオペレーティングシステム１５は、第２のハードディスクパーティション１３に格納される。マルチメディアオペレーティングシステム１５は、Ｗｉｎｄｏｗｓオペレーティングプラットフォーム、ＬＩＮＵＸオペレーティングプラットフォーム、或いは他のオペレーティングプラットフォームである。マルチメディアオペレーティングシステム１５は、オペレーティングシステムカーネルである。コンピュータがスイッチオンされると、ベーシック入出力システム（ＢＩＯＳ）１０が、ハードディスクのアクティブパーティションをサーチし、このアクティブパーティションのオペレーティングシステムをロードする。例えば、第１のハードディスクパーティション１２が、アクティブパーティションである場合、通常のオペレーティングシステム１４が、ロードインされる。逆に、第２のハードディスクパーティション１３が、アクティブパーティションである場合、マルチメディアオペレーティングシステム１５が、ロードインされる。
【発明の開示】
【発明が解決しようとする課題】
【０００６】
上述のマルチメディアオペレーティングシステム１５が、保護なしで第２のハードディスクパーティション１３に格納されるので、通常のオペレーティングシステム１４は、データを格納するために第２のハードディスクパーティション１３へアクセスできる。このように第２のハードディスクパーティション１３に格納されたデータは、（例えば、コンピュータウイルス或いは誤った消去オンスイッチファイルによって）簡単に損傷され得る。その結果、マルチメディアオペレーティングシステム１５は、悪影響を受ける。マルチメディアオペレーティングシステムを安全に保護することによって、上記問題を克服できる。
【課題を解決するための手段】
【０００７】
上記問題を解決するためになされた本願の第１発明は、ハードディスクパーティションとホスト保護エリアを含むコンピュータ実行可能プラットフォーム上で実行される、コンピュータマルチメディア機能の作動方法であって、ハードディスクパーティションは、通常のオペレーティングシステムを格納し且つホスト保護エリアは、マルチメディアオペレーティングシステムカーネルを格納し、前記方法は、パワーオンスイッチ信号を受信し、ベーシック入出力システム（ＢＩＯＳ）をメモリにロードし、且つパワー自己テストシーケンスを実行するステップと、マルチメディアオンスイッチモード信号を検出するステップと、を備え、このマルチメディアオンスイッチモード信号が検出されると、前記ＢＩＯＳが、前記ホスト保護エリアをアクセス状態に設定するステップと、オンスイッチローディングプログラムを読み出すステップと、前記マルチメディアオペレーティングシステムカーネルをロードするステップと、を実行する、コンピュータマルチメディア機能の作動方法を提供する。
【０００８】
本願の第２発明は、前記マルチメディアオペレーティングシステムカーネルをロードした後に、アプリケーションプログラムをロードするステップを更に備える、本願の第１発明に記載のコンピュータマルチメディア機能の作動方法を提供する。
【０００９】
本願の第３発明は、マルチメディアオンスイッチモード信号が検出されない場合、前記ＢＩＯＳは、ホスト保護エリアを保護状態に設定し且つ前記通常のオペレーティングシステムをロードする、本願の第１発明に記載のコンピュータマルチメディア機能の作動方法を提供する。
【００１０】
本願の第４発明は、前記マルチメディアオンスイッチモード信号は、割込み信号である、本願の第１発明に記載のコンピュータマルチメディア機能の作動方法を提供する。
【００１１】
本願の第５発明は、前記マルチメディアオペレーティングシステムカーネルは、マルチメディアデバイスのドライバプログラムを含む、本願の第１発明に記載のコンピュータマルチメディア機能の作動方法を提供する。
【００１２】
本願の第６発明は、前記マルチメディアデバイスは、光ディスクドライブ、サウンド効果デバイス、又はビデオデバイスである、本願の第５発明に記載のコンピュータマルチメディア機能の作動方法を提供する。
【００１３】
本願の第７発明は、前記アプリケーションプログラムは、サウンドデータ、画像データ、及びピクチャーデータを放送できる、本願の第１発明に記載のコンピュータマルチメディア機能の作動方法を提供する。
【００１４】
本願の第８発明は、前記マルチメディアオンスイッチモード信号は、入力デバイスのショートカットキー又は組合せキーから受信される、本願の第１発明に記載のコンピュータマルチメディア機能の作動方法を提供する。
【００１５】
本願の第９発明は、コンピュータマルチメディア機能の作動方法であって、ホスト保護エリアがオンスイッチローディングプログラム及びマルチメディアオペレーティングシステムカーネルを格納し、前記方法は、マルチメディアオンスイッチモード信号を受信するステップと、前記マルチメディアオンスイッチモード信号に従って、前記ホスト保護エリアをアクセス状態に設定するステップと、前記ホスト保護エリア内に格納されたオンスイッチローディングプログラムをメモリに読み出すステップと、前記ホスト保護エリアに格納された前記オンスイッチローディングプログラムによってマルチメディアオペレーティングシステムカーネルをローディングするステップと、を備えるコンピュータマルチメディア機能の作動方法を提供する。
【００１６】
本願の第１０発明は、前記ホスト保護エリアは、更に、アプリケーションプログラムを格納する、本願の第９発明に記載のコンピュータマルチメディア機能の作動方法を提供する。
【００１７】
本願の第１１発明は、前記ホスト保護エリアに格納されたアプリケーションプログラムをローディングするステップを更に備える、本願の第９発明に記載のコンピュータマルチメディア機能の作動方法を提供する。
【００１８】
本願の第１２発明は、前記マルチメディアオンスイッチモード信号は、割込み信号である、本願の第９発明に記載のコンピュータマルチメディア機能の作動方法を提供する。
【００１９】
本願の第１３発明は、前記マルチメディアオペレーティングシステムカーネルは、マルチメディアデバイスのドライバプログラムを含む、本願の第９発明に記載のコンピュータマルチメディア機能の作動方法を提供する。
【００２０】
本願の第１４発明は、前記マルチメディアデバイスは、光ディスクドライブ、サウンド効果デバイス、又はビデオデバイスである、本願の第１３発明に記載のコンピュータマルチメディア機能の作動方法を提供する。
【００２１】
本願の第１５発明は、前記アプリケーションプログラムは、サウンドデータ、画像データ、及びピクチャーデータを放送できる、本願の第９発明に記載のコンピュータマルチメディア機能の作動方法を提供する。
【００２２】
本願の第１６発明は、前記マルチメディアオンスイッチモード信号は、入力デバイスのショートカットキー又は組合せキーから受信される、本願の第９発明に記載のコンピュータマルチメディア機能の作動方法を提供する。
【００２３】
本願の第１７発明は、コンピュータマルチメディア機能の作動方法であって、ホスト保護エリアがオンスイッチローディングプログラム及び複数のマルチメディアオペレーティングシステムカーネルを格納し、それによって、指定のマルチメディアオペレーティングシステムカーネルが異なるオンスイッチモード信号に従ってロードされ、前記方法が、マルチメディアオンスイッチモード信号を受信するステップであって、前記マルチメディアオンスイッチモード信号が対応するマルチメディアオペレーティングシステムカーネルを決定するステップと、前記マルチメディアオンスイッチモード信号に従って、前記ホスト保護エリアをアクセス状態に設定するステップと、前記ホスト保護エリア内に格納されたオンスイッチローディングプログラムをメモリに読み出すステップと、前記オンスイッチローディングプログラムを作動してマルチメディアオペレーティングシステムカーネルをロード及び実行するステップと、を備えるコンピュータマルチメディア機能の作動方法を提供する。
【００２４】
本願の第１８発明は、前記マルチメディアオンスイッチモード信号は、割込み信号である、本願の第１７発明に記載のコンピュータマルチメディア機能の作動方法を提供する。
【００２５】
本願の第１９発明は、前記マルチメディアオペレーティングシステムカーネルは、マルチメディアデバイスのドライバプログラムを含む、本願の第１７発明に記載のコンピュータマルチメディア機能の作動方法を提供する。
【００２６】
本願の第２０発明は、前記マルチメディアデバイスは、光ディスクドライブ、サウンド効果デバイス、又はビデオデバイスである、本願の第１９発明に記載のコンピュータマルチメディア機能の作動方法を提供する。
【００２７】
本願の第２１発明は、前記マルチメディアオペレーティングシステムカーネルは、対応するアプリケーションプログラムを含む、本願の第１７発明に記載のコンピュータマルチメディア機能の作動方法を提供する。
【００２８】
本願の第２２発明は、前記マルチメディアオンスイッチモード信号は、入力デバイスのショートカットキー又は組合せキーから受信される、本願の第１７発明に記載のコンピュータマルチメディア機能の作動方法を提供する。
【００２９】
本願の第２３発明は、前記ホスト保護エリアに格納されたアプリケーションプログラムをロードするステップを更に備える、本願の第１７発明に記載のコンピュータマルチメディア機能の作動方法を提供する。
【００３０】
本発明は、損傷に対してマルチメディアオペレーティングシステム（又は好適な実施の形態ではマルチメディアオペレーティングシステムのカーネルのみ）を保護するために、そのマルチメディアオペレーティングシステムをホスト保護エリアに格納する。マルチメディアオペレーティングシステムは、マルチメディアオペレーティングシステムのローディング時間を短縮するためにマルチメディアデバイスを駆動するのに十分なオペレーションシステムカーネルを含むに過ぎない。更に、本発明は、マルチメディアオペレーティングシステムのオンスイッチ作動方法を提供してマルチメディアオペレーティングシステムにロードする。ホスト保護エリアがＢＩＯＳを介してアクセスされなければならないので、マルチメディアオペレーティングシステムのデータは容易には損傷されない。
【００３１】
更に、本発明は、従来のオンスイッチモードを提供して通常のオペレーティングシステムをハードディスクパーティションからメモリにロードし、ユーザに対して必要な演算サービスを提供する。また、本発明は、マルチメディアオンスイッチモードを提供し、このモードでは、ホスト保護エリアに格納されたマルチメディアオペレーティングシステムと対応するアプリケーションプログラムが、テレビ、ＶＣＤ、ＤＶＤを見たり、又は音楽コンパクトディスク、ＭＰ３、ラジオを聴いたり、或いは写真（光ディスク、ハードディスク及びメモリカード等に格納された写真ファイル）を検索するためにロードされる。それによって、コンピュータのマルチメディア機能は、より便利に実行される。
【００３２】
更にまた、本発明は、複数のマルチメディアオペレーティングシステムをホスト保護エリアに提供し、これらのマルチメディアオペレーティングシステムは、異なるマルチメディア使用（例えば、音楽、映画等）やマルチメディアデバイスに適合される。ユーザが、望ましいマルチメディアオペレーティングシステムを選択的にロードできる。実施の方法は、コンピュータがスイッチオンされた時に受信される、異なる割込みコマンドに従って、指定のマルチメディアオペレーティングシステムをロードすることを含む。例えば、異なるオンスイッチモード選択スイッチ、異なるキーボード機能キーのタッチ、又はマウスの操作によって、割込み信号を発生するように動作されることができる。
【００３３】
上記及び他の目的を達成するために、本発明は、以下のステップを備えるコンピュータマルチメディア機能の作動方法を提供する。
【００３４】
まず、ユーザは、コンピュータをスイッチオンし、パワー作動信号を発生する。従って、コンピュータは、オンスイッチ作動シーケンスを実行し、ＢＩＯＳをメモリにロードし、パワーオン自己テストシーケンスを実行し、マルチメディアオンスイッチモード信号を検出して、通常のオペレーティングシステムがロードされるべきかそれともマルチメディアオペレーティングシステムがロードされるべきかを決定する。マルチメディアオンスイッチモード信号が検出されると、ＢＩＯＳがホスト保護エリアをアクセス状態に設定し、ホスト保護エリアに格納されたオンスイッチローディングプログラムをメモリに読み出す。次に、オンスイッチローディングプログラムが、ホスト保護エリアに格納されたマルチメディアオペレーティングシステムとアプリケーションプログアラムをロードする。マルチメディアオンスイッチモード信号が検出されない場合、ＢＩＯＳはホスト保護エリアを保護状態に設定し、通常のオペレーティングシステムにロードする。
【００３５】
更に、マルチメディアオペレーティングシステムのローディング方法は、以下のステップを含む。マルチメディアオンスイッチモード信号がコンピュータのオンスイッチ中に受信されると、ＢＩＯＳがホスト保護エリアをアクセス状態に設定する。次に、ホスト保護エリアに格納されたオンスイッチローディングプログラムがメモリに読み出される。次に、オンスイッチローディングプログラムが実行されてホスト保護エリアに格納されたマルチメディアオペレーティングシステムとアプリケーションプログラムをロードする。
【００３６】
本発明の利用可能性の更なる範囲は、以降に示される詳細な記述から明らかとなる。しかしながら、詳細な記述及び特定の例は、本発明の好適な実施の形態を示すが、単なる例示の方法によって示されるに過ぎないことを理解すべきである。理由は、本発明の精神と範囲内での種々の変更や修正は、この詳細な記述から当業者にとっては明白であるからである。
【発明の効果】
【００３７】
本発明によれば、以下のような効果のうち、少なくとも一つを得ることができる。
【００３８】
＜１＞ホスト保護エリアがＢＩＯＳを介してアクセスされなければならないので、マルチメディアオペレーティングシステムのデータは容易には損傷されない。
＜２＞コンピュータのマルチメディア機能がより便利に実行できる。
＜３＞ユーザが、望ましいマルチメディアオペレーティングシステムを選択的にロードできる。
【発明を実施するための最良の形態】
【００３９】
以下、添付図面を参照して本発明の好適な実施の形態を詳細に説明する。
【実施例】
【００４０】
本発明に従って、マルチメディアオペレーティングシステムは、ホスト保護エリアに格納される。このホスト保護エリアは、ハードディスク内に定義された領域であり、この領域へは、通常のオペレーティングシステムはアクセスできない。ホスト保護エリアへのアクセスは、ＢＩＯＳを介してのみ実行可能である。それによって、ホスト保護エリア内に格納されたデータは、不注意での損傷から保護される。
【００４１】
図１Ｂは、本発明の実施の形態に従うコンピュータマルチメディア機能の作動方法を示す概略図である。マルチメディアオペレーティングシステム１５は、コンピュータオンスイッチ中にローディング時間を短縮するためにマルチメディアデバイスを動作可能な、好適な実施の形態ではマルチメディアオペレーティングシステム（或いは他の好適な実施の形態では全マルチメディアオペレーティングシステム）のカーネルを含むに過ぎない。マルチメディアオペレーティングシステム１５、オンスイッチローディングプログラム１６及びアプリケーションプログラム１８は、ホスト保護エリア１７に格納される。ホスト保護エリア１７は、ＢＩＯＳ１０を介してアクセスされなければならないので、データは、安全にホスト保護エリア１７に格納され得る。本発明に従う処理方法は、以下の通りである。
【００４２】
コンピュータがオンされると、ＢＩＯＳ１０がメモリにロードされ、マルチメディアオンスイッチモード信号が検出される。マルチメディアオンスイッチモード信号は、割込み信号（例えば、キーボードの機能キーコマンドやマウス操作コマンド）である。マルチメディアオンスイッチモード信号が受信されるか否かによって、通常のオペレーティングシステム１４がロードされるべきか、或いはマルチメディアオペレーティングシステム１５がロードされるべきかが決定される。例えば、マルチメディアオンスイッチモード信号が検出されると、ＢＩＯＳ１０は、ホスト保護エリア１７をアクセス状態に設定し（このことは、ホスト保護エリアの保護状態がオフになっていることを意味する）、ホスト保護エリア１７からオンスイッチローディングプログラム１６をメモリに読み出す。引き続いて、オンスイッチローディングプログラム１６が使用されて、ホスト保護エリア１７に格納されたマルチメディアオペレーティングシステム１５とアプリケーションプログラム１８をロードする。そうでない場合は、ＢＩＯＳ１０が、ホスト保護エリア１７を保護状態に設定し、第１のハードディスクパーティション１２に格納された通常のオペレーティングシステム１４をロードする。
【００４３】
一般的には、２台以上のマルチメディアデバイス（例えば、光ディスクドライブ、サウンド効果デバイス、ビデオデバイス等）がコンピュータに接続されるので、マルチメディアオペレーティングシステムは、オペレーティングシステムカーネルを単純化し、それによってホスト保護エリア１７に格納されたマルチメディアオペレーティングシステム１５のローディング時間を短縮するために異なるマルチデバイスに対応するように設計される。更に、ユーザの希望に従って、オペレーティングシステムとアプリケーションプログラムは、異なるマルチメディアデータ（例えば、サウンドデータ、画像データ、ピクチャーデータ等）を放送するためにロードされ、それによって、コンピュータは、家庭用のオーディオ−ビデオセットと同じくらい便利になる。
【００４４】
図２は、ホスト保護エリア１７に格納されたデータを示す。図示されているように、格納されたデータは、オンスイッチローディングプログラム１６と、夫々、音楽、映画、及び写真を放送するための第１のマルチメディアオペレーティングシステム２２、第２のマルチメディアオペレーティングシステム２４、及び第３のマルチメディアオペレーティングシステム２６のような、異なるオーディオ−ビデオアプリケーションに従って設計されたマルチメディアオペレーティングシステムを含む。ＢＩＯＳがホスト保護エリアをアクセス状態に設定すると、オンスイッチローディングプログラム１６がメモリに読み出され、続いて、希望のアプリケーションに対応するオペレーティングシステムがロードされる。例えば、ユーザが、音楽を放送することを望むと、オンスイッチローディングプログラム１６は、第１のマルチメディアオペレーティングシステム２２をロードする。ユーザーが映画を放送することを望むと、オンスイッチローディングプログラム１６は第二のオペレーションシステム２４をロードする。反対に、ユーザが、写真を放送することを望むと、オンスイッチローディングプログラム１６は、第３のマルチメディアオペレーティングシステム２６をロードする。次に、ロードされたマルチメディアオペレーティングシステムは、対応するマルチメディアデバイスを駆動して関連するアプリケーションプログラムを実行する。
【００４５】
図３は、コンピュータ実行可能プラットフォームで実施される、本発明の実施の形態に従うコンピュータマルチメディア機能の作動方法の流れ図である。コンピュータ実行可能プラットフォームは、通常のオペレーティングシステムとマルチメディアオペレーティングシステムとを含んでいる。通常のオペレーティングシステムは、ハードディスクのパーティションに格納されており、マルチメディアオペレーティングシステムは、ホスト保護エリアに格納されている。ホスト保護エリアは、二つのスイッチング状態を有し、一方は、アクセス状態、他方は、保護状態である。マルチメディアオペレーティングシステムは、本発明に従って、以下のシーケンスでロードされる。
【００４６】
初めに、パワーオンスイッチが検出され、ＢＩＯＳがメモリにロードされ、パワーオン自己テストシーケンスが実行される（ステップ３００）。次に、マルチメディアオンスイッチモード信号が検出される（ステップ３０２）。マルチメディアオンスイッチモード信号は、入力デバイス（例えば、キーボード）の１個のショートカットキー或いは組合せキーから、並びにマルチメディアオンスイッチモード信号を発生するジョイスティックの信号から受信されることができる。マルチメディアオンスイッチモード信号が検出されると、ＢＩＯＳは、以下のステップを実行する。ホスト保護エリアをアクセス状態に設定し、ホスト保護エリアからオンスイッチローディングプログラムをロードし、オンスイッチローディングプログラムを実行してマルチメディアオペレーティングシステムをロードし、且つユーザの要求に従って対応するアプリケーションプログラムを実行する（ステップ３０４）。アプリケーションプログラムは、従来のようにハードディスクパーティションに格納されたアプリケーションプログラムでも良く、ホスト保護エリアに格納されたアプリケーションプログラム（例えば、放送ソフトウエア）でもよい。マルチメディアオンスイッチモード信号が検出されない場合、ＢＩＯＳは、ホスト保護エリアを保護状態に設定して通常のオペレーティングシステムをロードする（ステップ３０６）。
【００４７】
マルチメディアオペレーティングシステムは、光ディスクドライブ、サウンドカード、ビデオカード、テレビカード等のマルチメディアデバイスのドライバプログラムを含む。また、マルチメディアオペレーティングシステムは、マルチメディアデータ（例えば、サウンドデータ、映画データ、画像データ等）を放送するために使用されるアプリケーションプログラムを含む。ホスト保護エリアが、ＢＩＯＳを介してアクセスされなければならない（これは、保護状態をアクセス状態に設定することを意味する）ので、通常のオペレーティングシステムは、ホスト保護エリアには直接アクセスできない。このようにホスト保護エリアに格納されたマルチメディアオペレーティングシステムは、容易には損傷されない。
【００４８】
図４は、本発明の実施の形態に従うコンピュータマルチメディア機能の作動方法、特に、マルチメディアオペレーティングシステムのローディングシーケンスの流れ図である。マルチメディアオペレーティングシステムのローディングシーケンスが実行されると、ＢＩＯＳは、マルチメディアオンスイッチモード信号を受信する（ステップ４００）。マルチメディアオンスイッチモード信号は、入力デバイス（例えば、キーボード）の１個のショートカットキー或いは組合せキーから、並びにマルチメディアオンスイッチモード信号を発生するジョイスティックの信号から受信される。マルチメディアオンスイッチモード信号は、ＢＩＯＳがホスト保護エリアをアクセス状態に設定することに従って割込みコマンドを構成する（ステップ４０２）。次に、ホスト保護エリアに格納されたオンスイッチローディングプログラムは、メモリに読み出される（ステップ４０４）。オンスイッチローディングプログラムが実行されて、マルチメディアオペレーティングシステムをロードする（ステップ４０６）。ユーザの要求に従って、マルチメディアオペレーティングシステムは、アプリケーションプログラムをロードしてマルチメディアデータ（音楽、映画及びピクチャー）を放送する（ステップ４０８）。
【００４９】
図５は、本発明の実施の形態に従うコンピュータマルチメディア機能の作動方法の流れ図であり、ここでは、異なるマルチメディアオペレーティングシステムが対応するマルチメディアオンスイッチモード信号に従ってロードされる。複数のマルチメディアオペレーティングシステムは、ホスト保護エリアに格納される。各マルチメディアオペレーティングシステムは、対応するマルチメディアデバイスを駆動し、対応するアプリケーションプログラムを実行する。ＢＩＯＳは、マルチメディアオンスイッチモード信号を検出し、従って、対応するマルチメディアオペレーティングシステムを決定する（ステップ５００）。次に、ＢＩＯＳは、ホスト保護エリアをアクセス状態に設定する（ステップ５０２）。ホスト保護エリアに格納されたオンスイッチローディングプログラムが、メモリに読み出される（ステップ５０４）。最後に、オンスイッチローディングプログラムが実行されて、マルチメディアオペレーティングシステムをロードし実行する（ステップ５０６）。
【００５０】
上述の本発明が多くの方法で変更されることができ、そのような変更がそれでも以下の請求項に定義された本発明の精神と範囲内で残存することは、当業者にとって自明である。
【図面の簡単な説明】
【００５１】
【図１Ａ】従来のコンピュータマルチメディア機能の作動方法の動作を示す概略図である。
【図１Ｂ】本発明の実施の形態に従ったコンピュータマルチメディア機能の作動方法の概略図である。
【図２】本発明の実施の形態に従ったコンピュータマルチメディア機能の作動方法の概略図である。
【図３】本発明の実施の形態に従ったコンピュータマルチメディア機能の作動方法の流れ図である。
【図４】本発明の実施の形態に従ったコンピュータマルチメディア機能の作動方法の流れ図である。
【図５】本発明の実施の形態に従ったコンピュータマルチメディア機能の作動方法の流れ図である。
【符号の説明】
【００５２】
１０  ＢＩＯＳ
１２  第１のハードディスクパーティション
１４  通常のオペレーティングシステム
１５  マルチメディアオペレーティングシステム
１６  オンスイッチローディングプログラム
１７  ホスト保護エリア
１８  アプリケーションプログラム
２２  第１のマルチメディアオペレーティングシステム
２４  第２のマルチメディアオペレーティングシステム
２６  第３のマルチメディアオペレーティングシステム
【図１Ａ】
2007108866.tif 000003
【図１Ｂ】
2007108866.tif 000004
【図２】
2007108866.tif 000005
【図３】
2007108866.tif 000006
【図４】
2007108866.tif 000007
【図５】
2007108866.tif 000008